(57)【要約】【課題】スーパーマーケット等のショーケースにおいて高い演色性を発揮できるショーケース用照明装置を提供する。【解決手段】ショーケース１内に陳列された商品を照光する照明装置６ａ，６ｂ，６ｃ，６ｄであって、異なる演色性を有する光を照射できるＬＥＤ発光素子１２ａ，１２ｂ，１２ｃを、上記ショーケース１の奥行方向に配列し、ショーケースの奥行方向に、異なる演色性を有する光を照射できるように構成した。【選択図】図１
2014082093.tif 000002
【特許請求の範囲】
【請求項１】
ショーケース内に陳列された商品を照光する照明装置であって、
異なる演色性を有する光を照射できるＬＥＤ発光素子を、上記ショーケースの奥行方向に配列し、ショーケースの奥行方向に、異なる演色性を有する光を照射できるように構成した、ショーケース用照明装置。
【請求項２】
複数のＬＥＤ発光素子を上記ショーケースの幅方向に所定間隔で配列した複数のＬＥＤ発光素子列を備え、
上記各ＬＥＤ発光素子列は、異なる演色性を有する光を照射できるように構成されているとともに、上記ショーケースの奥行方向に異なる演色性を有する光を照射できるように構成されている、請求項１に記載のショーケース用照明装置。
【請求項３】
上記各発光素子列から照射される光の照射範囲、照射強度及び演色性の少なくとも一つを制御できる制御手段を設けた、請求項２に記載のショーケース用照明装置。
【請求項４】
上記制御手段は、上記各発光素子列間に設けた遮蔽凸部である、請求項２又は請求項３に記載のショーケース用照明装置。
【請求項５】
奥行方向に、異なる演色性を有する少なくとも３列のＬＥＤ発光素子列を設けて構成されており、
上記３列のＬＥＤ発光素子列の一つの列が、白色光を照射できるＬＥＤ発光素子を配列して構成されている、請求項２から請求項４のいずれか１項に記載のショーケース用照明装置。
【請求項６】
白色光を照射できるＬＥＤ発光素子から構成されるＬＥＤ発光素子列と、
赤色光を照射できるＬＥＤ発光素子から構成されるＬＥＤ発光素子列と、
黄色光を照射できるＬＥＤ発光素子から構成されるＬＥＤ発光素子列とを備えて構成されている請求項２から請求項５のいずれか１項に記載のショーケース用照明装置。
【請求項７】
ＬＥＤ発光素子に印加する電圧及び／又は電流を制御することにより、照度及び／又は演色性を変化させる、請求項２から請求項６のいずれか１項に記載のショーケース用照明装置。
【請求項８】
異なる演色性を有するＬＥＤ発光素子列が、一つの長尺状基板上に配列されているとともに、この長尺状基板を覆う円筒状の透光性カバーを備えて構成される、請求項２から請求項７のいずれか１項に記載のショーケース用照明装置。
【請求項９】
長手方向端部に設けられて、外部電源に接続される電極部と、
上記電極部から導入される電流及び電圧を変換して上記各ＬＥＤ発光素子に供給する内部電源とを備える請求項１から請求項８のいずれか１項に記載のショーケース用照明装置。
【請求項１０】
上下方向に所定間隔で設けられる複数段の陳列棚を備えるとともに、各陳列棚の下部に直下の陳列棚をそれぞれ照光できる照明装置を備えるショーケースであって、
少なくとも最下方に位置する底部陳列棚の奥行き方向寸法が、上記底部陳列棚の上方に位置する複数の奥方陳列棚の奥行き方向寸法より大きく設定されているとともに、
上記各照明装置は、異なる演色効果を有するＬＥＤ発光素子列を奥行き方向に複数列配列して構成されており、
各奥方陳列棚の下部に設けた上記照明装置の少なくとも手前側に設けたＬＥＤ発光素子列から発せられる光の一部が、下方に位置する底部陳列棚の一部を照光するように構成されている、ショーケース。
【発明の詳細な説明】
【技術分野】
【０００１】
本発明は、ショーケース内に陳列された商品を照光するショーケース用照明装置に関するものである。詳しくは、ショーケース内に展示された商品を見栄え良く照光することができるショーケース用照明装置に関するものである。
【背景技術】
【０００２】
百貨店やスーパーマーケット等ではショーケース内に商品を陳列して販売が行われる。上記ショーケースには、商品を陳列する陳列棚が設けられており、上記照明装置は、上記陳列棚に陳列された商品に光を照射するように構成されている。
【０００３】
商品に照射される光によって、商品の見栄えが大きく異なる。物体の色の見え方に及ぼす光源の性質は、演色性と呼ばれている。通常、色の見え方の良い特性を持つ光源が、良い演色性を備えているとされる。このため、演色性は、ショーケース用の照明光源の特性の中で、極めて重要な特性の一つと言える。
【０００４】
上記演色性として、基準となる光源に対して、光源が物体の色をどの程度忠実に再現できるかについての評価と、商品の色がより好ましく見えるかについての評価とが考えられる。後者については、定量的な評価が困難であるため、ＪＩＳでは、前者、すなわち「色の見え方の忠実性」についての評価方法が定められている。（ＪＩＳＺ８７２６）
【０００５】
一方、商品の陳列販売に用いるショーケースの照明装置では、上記ＪＩＳで定められた演色性の評価よりも後者、すなわち、「商品の色がより好ましく見えるかについての評価」についての重要性が高い。特に、生鮮食料品については演色性が極めて重要であり、美味しそうに見えるかどうか、より新鮮に見えるかどうかが非常に重要である。
【０００６】
このため、ショーケースに用いられる照明装置は、商品の特性に合わせて、「商品をより好ましく見える」ように構成されたものが多い。
【０００７】
ショーケースの陳列棚は、商品等に応じて購買者が商品を観察しやすい配置で設けられることが多い。特に、スーパーマーケット等で採用されるショーケースの陳列棚は、購買者が商品を観察しやすく設定されるだけでなく、商品を陳列棚から容易に取り出せるように前面あるいは上面に大きな開口部が設けられている。購買者は上記開口部を介して商品を観察するとともに、所要の商品を陳列棚から取り出す。
【０００８】
また、上記陳列棚は、商品を取り出せる高さ範囲において、複数段設定されたものが多い。購買者の商品観察の目線上に照明装置があると、照射される光が購買者の目に入り眩しく感じるばかりでなく、商品を観察する障害となる。このため、照明装置の光源は、購買者の目線から外れた位置に設けられたり、目線を遮る遮蔽板等が設けられている。
【先行技術文献】
【特許文献】
【０００９】
【特許文献１】特開２０１２−１５４７１号公報
【発明の開示】
【発明が解決しようとする課題】
【００１０】
上記特許文献１に記載されているショーケースの照明装置は、蛍光体の種類に応じた２種類の発光ユニットを備えて構成されている。一方の発光ユニットは、白色光を発する固体発光素子と所定の蛍光色を発光する第１の蛍光体とを備えて構成されている。他方の発光ユニットは、白色光を発する固体発光素子と所定の蛍光色を発光する第２の蛍光体とを備えて構成されている。上記公報に記載された照明装置では、複数の発光ユニットが光照射面の中心近傍を照射できるように構成されている。すなわち、複数の演色性がある光源からの光がミックスされて、均一な光で商品を照光するように構成されている。
【００１１】
上記照明装置では、白色光によりショーケース内の商品を照光して所定の明るさを確保できる。また、食肉等の生鮮食料品に適用する場合には、照明光中の赤色光成分を増加させて、食品の品質がより良く見えるように演色効果を発揮させることができるとしている。
【００１２】
上記ショーケースが設置されるフロアには、天井照明が設置されている。また、ショーケースの前面は開口されているため、上記陳列棚の奥行方向前側に展示される商品は、天井照明によっても照光される。また、上下に複数の陳列棚を備えるショーケースでは、ケースの内側最上部にケース全体を照明する照明装置が設けられているとともに、各陳列棚の下面に設けられた照明装置が、直下の陳列棚の商品を照光できるように構成されている。これにより、各陳列棚の奥方にも光が照射されるように構成されている。
【００１３】
上述したように、ショーケースの陳列棚に陳列される商品は、複数の光源からの光によって照光されることになる。一方、上記天井照明は、室内照明として設けられるものであり、ショーケースに陳列された商品を照光するものではないため、通常白色光を発する光源が採用されている。また、ショーケースの最上部に設けられ、ショーケース内全体を照光する照明装置にも白色光を発する光源が採用されることが多い。ショーケースには、これら複数の照明装置からの光が照射されることになる。このため、ショーケースの各陳列棚に、特定の商品に対して演色性が高い光を発することができる照明装置を設けても、ショーケース内外の他の光源からの光によって演色効果が低減させられたり、かえって悪い演色性を発揮してしまうことになる。特に、購買者の目につきやすい各陳列棚の奥行き方向手前側は、上記天井照明やショーケース内の他の照明装置からの光の影響が大きくなる。
【００１４】
一方、上下方向中間部の各陳列棚において、手前側以外の部位には上記天井照明からの光や、ショーケース最上部に設けられた照明装置からの光は届かない。このため、中間部の陳列棚は、照度と演色性の両方を兼ね備える光を照射する必要がある。一方、底部陳列棚は上記天井照明からの光や、ショーケース最上部に設けられた照明装置からの光が照射されるが、これら照明装置からの距離が大きいため、明るさ（照度）が不足する場合が多い。
【００１５】
演色性があるとされる従来のショーケース用照明装置においては、所定範囲内に陳列された商品に対して、好適な演色性を発揮できるように均一な光を照射するものが多く、ショーケースの上記構造や外部照明環境に応じた演色性を発揮するのは困難であった。
【００１６】
本願発明は、上記従来の問題を解決し、生鮮食料品等に用いられるショーケースにおいて高い演色性を発揮できるショーケース用照明装置を提供することを課題とする。
【課題を解決するための手段】
【００１７】
本願発明は、ショーケース内に陳列された商品を照光する照明装置であって、異なる演色性を有する光を照射できるＬＥＤ発光素子を、上記ショーケースの奥行方向に配列し、ショーケースの奥行方向に、異なる演色性を有する光を照射できるように構成したものである。
【００１８】
本願発明に係る照明装置においては、異なる演色性を有する光を照射できるＬＥＤ発光素子を、上記ショーケースの奥行方向に配列している。この構成によって、奥行き方向に異なる演色性を有する光を照射できる。
【００１９】
たとえば、スーパーマーケット等において採用されるショーケースは矩形箱状に形成されており、前面又は上面に大きな開口部が形成される。上記開口部から天井照明等が入射し、各陳列棚に陳列された商品に照射されるが、上記天井照明から照射される光の照光範囲や照度は、上記ショーケースの奥行き方向に変化する。すなわち、上下方向に所定間隔で配列された複数段の奥方陳列棚を備えるショーケースでは、各陳列棚の手前側には、上記天井照明からの光が照射されるが、上方に位置する陳列棚やショーケース自体の天井部によって、中間部の陳列棚の奥方には、上記天井照明からの光は充分にはとどかない。また、中間部の各陳列棚の下面に下方の陳列棚を照光する照明装置が設けられているが、従来の照明装置は、全体に均一な光を照射するものであったため、直下の陳列棚における光の照度は確保できるものの、上記照射される光の奥行き方向の変化を調整することはできない。
【００２０】
本願発明に係る照明装置は、奥行き方向に異なる演色性を有する光を照射できるように構成されている。このため、各陳列棚に照射される奥行き方向に変化する照射光を調整することが可能となる。たとえば、奥方に陳列される商品には天井照明等が届かないため、演色性のみならず、照度を確保する必要がある。このため、少なくとも、各奥方陳列棚の奥方の照度を確保できる発光素子を備える照明装置を設けるのが好ましい。一方、各奥方陳列棚の手前側の領域は、直上の陳列棚の下部に設けた照明装置からの距離も小さく、また、上述したように、他の光源からの光も照射されるため、充分な明るさを確保できる場合が多い。このため、奥方陳列棚の手前側の領域では照度を確保する必要は少ない。したがって、各照明装置の手前側には、陳列される商品に対して演色性が高い光を照射できる発光素子を設けるのが好ましい。
【００２１】
上下方向に複数段の奥方陳列棚を備えるショーケースにおいて、中間部の各陳列棚の下部に設置された照明装置から発せられる光は、直下の陳列棚の先端部からはみ出るようにして、より下方に位置する陳列棚にも照射される。特に、各奥方陳列棚の下部に設けられる各照明装置の一部の光は、底部陳列棚に向かって照射される。したがって、より下方の陳列棚の手前側に陳列された商品に演色性の高い光をより多く照射するように、ＬＥＤ発光素子を配列することが可能となる。これにより、各奥方陳列棚の手前側に演色性の高い光を多量に照射することが可能となり、購買者の目につきやすい商品の見栄えをより高めることができる。また、生鮮食料品を陳列するショーケースでは、最下段の陳列棚の奥行き方向寸法が大きく設定されており、広い範囲に、照度や演色性のある光を照射する必要がある。一方、天井照明やショーケースの上部照明装置からの距離が大きいため、奥方陳列棚に比べて照度が低くなる場合がある。このため、底部陳列棚の演色性を高めることは困難であった。本願発明では、上下方向に延びる複数段の奥方陳列棚に設けた各照明装置から発せられる光の一部を、上記最下段の陳列棚に照射することが可能となる。しかも、本願発明では、上記各照明装置の奥行方向に異なる演色性を有するＬＥＤ発光素子列を設けているため、これらＬＥＤ発光素子列の手前側のＬＥＤ発光素子列からの光を、底部陳列棚に向けて選択的に照射することが可能となる。したがって、購買者の最も目につきやすい底部陳列棚のほぼ全域に演色性の高い光を多量に照射することも可能となる。
【００２２】
ＬＥＤ発光素子の形態及び配列形態は特に限定されることはない。たとえば、照明装置を、複数のＬＥＤ発光素子を上記ショーケースの幅方向に所定間隔で配列した複数のＬＥＤ発光素子列を備えて構成し、上記各ＬＥＤ発光素子列は、異なる演色性を有する光を照射できるように構成することができる。これにより、上記ショーケースの奥行方向に異なる演色性を有する光を照射して、ショーケース内の各部に陳列される商品に対して好適な光を照射することが可能となる。
【００２３】
一の基板に異なる演色性を有する光を照射できるＬＥＤ発光素子を配列した照明装置を構成することもできる。特に、外観を従来の直管型の蛍光灯の形態とし、透光性を有する円筒状カバーの内部に長尺状の基板を配置し、この基板に複数のＬＥＤ発光素子列を設けて構成することもできる。また、直管型の蛍光灯の形態とする場合、長手方向端部に設けられて、外部電源に接続される電極部と、上記電極部から導入される電流及び電圧を変換して上記各ＬＥＤ発光素子に供給する内部電源とを備えて構成するのが好ましい。
【００２４】
上記各発光素子列から照射される光の照射範囲、照射強度及び演色性の少なくとも一つを制御する制御手段を設けることができる。たとえば、照射範囲を制御する制御手段として、たとえば、ＬＥＤ発光素子列間に光の照射範囲を規制する遮蔽凸部を設けることができる。また、上記照射強度を制御する手段として、たとえば、ＬＥＤ発光素子列各発光素子に供給される電圧あるいは電流を制御する制御手段を設けることができる。また、演色性を制御する手段として、たとえば、着色フィルター等を設けることができる。さらに、各ＬＥＤ発光素子に印加される電圧や電流を制御して、発光色を変更することもできる。
【００２５】
上記構成によって、ショーケースの奥行方向に異なる演色性を有する光を、ショーケースの設置された室内の照明環境や陳列商品等に対応して照射することが可能となる。上記各発光素子列から照射される光は、天井照明等のショーケース以外の照明装置やショーケース内の他の照明装置から照射される光を勘案して、陳列された商品に最適な演色効果を発揮できるように調節するのが好ましい。
【００２６】
本願発明に係るＬＥＤ発光素子列の構成は特に限定されることはない。たとえば、奥行方向に、異なる演色性を有する少なくとも３列のＬＥＤ発光素子列を設けて構成することができる。
【００２７】
上記３列のＬＥＤ発光素子列を構成するＬＥＤ発光素子の発光特性は、陳列される商品、ショーケースの構造に応じて選択することができる。通常、商品の照度を確保するために、白色光を発するＬＥＤ発光素子を含む照明装置が採用される。照光対象となる陳列棚の全域の照度を確保するために、白色光を発するＬＥＤ発光素子からなるＬＥＤ発光素子列は、３列の中間又は手前側に設けるのが好ましい。
【００２８】
一方、陳列される商品をより良くみせるための光を発するＬＥＤ発光素子列は、奥行方向手前側と奥行方向奥側に設けるのが好ましい。特に、奥行方向手前側には、上記商品に対してより演色性の高い光を発することができるＬＥＤ発光素子列を設けるのが好ましい。
【００２９】
たとえば、生鮮食料品を陳列する場合、赤色と黄色と白色のＬＥＤ発光素子から発せられる光を照射することにより好ましい演色性を発揮させることができる。生鮮食料品の色彩に応じて上記各ＬＥＤ発光素子から発せられる光の照射程度を制御するのが好ましい。たとえば、食肉を陳列する場合、赤色光の照射割合を多く設定することにより、より好ましい演色性を発揮させることができる。したがって、食肉を陳列する場合は、赤色のＬＥＤ発光素子を奥行方向手前側又は奥行方向中間部に配置するのが好ましい。上記白色のＬＥＤ発光素子は、陳列棚の明るさに関与するものであるため、陳列棚の全域に光が照射されるように、中間部又は手前側に配置するのが好ましい。一方、黄色のＬＥＤ発光素子は、食肉の演色性を高める効果は赤色のＬＥＤ発光素子に比べて低いため、奥行方向の奥方に配置することができる。上記構成によって、各陳列棚に陳列される食肉に対して演色性の高い光を照射することができる。しかも、上述したように、上下方向に配列された陳列棚の下部に設置された各照明装置から、上記赤色のＬＥＤ発光素子及び白色のＬＥＤ発光素子から発せられる光が、より下方の陳列棚や最下段の底部陳列棚に照射されることになるため、これら陳列棚に陳列された食肉により演色性の高い光が照射されることになる。
【００３０】
一方、鮮魚を陳列する場合、上記食肉とは逆に、黄色のＬＥＤ発光素子から発せられる光の演色性が高い。このため、黄色のＬＥＤ発光素子を奥行方向手前側に配置する一方、赤色のＬＥＤ発光素子を、奥行方向奥側に配置するのが好ましい。
【００３１】
本願発明に係る照明装置は、ショーケースの形態に応じて各ＬＥＤ発光素子の光の照射特性を制御し、陳列した商品に最適な演色効果が出るように構成するのが望ましい。
【００３２】
また、本願発明は、ショーケースに取り付けられる従来の蛍光灯の代わりの照明装置として構成することもできるし、ショーケースに一体的に設けられる照明装置として構成することができる。たとえば、上下方向に所定間隔で設けられる複数段の陳列棚を備えるとともに、下方に位置する陳列棚の奥行き方向寸法が、上方に位置する陳列棚の奥行き方向寸法より大きく設定されているショーケースの場合、上記照明装置を、異なる演色効果を有するＬＥＤ発光素子列を奥行き方向に複数列配列して構成するとともに、少なくとも上記照明装置の手前側に設けたＬＥＤ発光素子列から発せられる光の一部を、下方に位置する陳列棚の一部を照光するように構成することができる。
【発明の効果】
【００３３】
ショーケースにおいて高い演色性を発揮できるショーケース用照明装置を提供できる。
【図面の簡単な説明】
【００３４】
【図１】本願発明に係る照明装置を適用したショーケースの棚の照光状態の一例を示す断面図である。
【図２】図１に記載された照明装置の要部の断面図である。
【図３】図２に示すIII-III 線に沿う断面図である。
【図４】本願発明に係る照明装置の作用を模式的に示す説明図である。
【図５】本願発明に係る照明装置の第２の実施形態に係る作用を模式的に説明する説明図である。
【発明を実施するための形態】
【００３５】
以下、本願発明の実施形態を図に基づいて具体的に説明する。
【００３６】
図１に、本願発明に係る照明装置が適用されるショーケースの一例を示す。
【００３７】
本実施形態に係るショーケース１は、矩形箱状に形成されたケース本体２と、このケース本体２の内部空間に配置された複数の陳列棚３ａ，３ｂ，３ｃ，３ｄ，４と、これら陳列棚を照光する照明装置５，６ａ，６ｂ，６ｃ，６ｄとを備えて構成されている。また、上記ケース本体２の最下方の底部陳列棚４の下方空間には、冷凍装置７等が収容されている。上記冷凍装置７で冷却された空気がショーケース背部の空間を介して上方に送られ、内壁の図示しない開口部から各陳列棚に向けて吹き出すように構成されている。
【００３８】
上記ショーケース１は、最下方に設けられるとともに大きな奥行寸法を備える底部陳列棚４と、上記ショーケース１の奥部内面から延出するとともに所定間隔で配置された奥方陳列棚３ａ，３ｂ，３ｃ，３ｄとを備えて構成されている。本実施形態では、上記奥方陳列棚３ａ，３ｂ，３ｃ，３ｄは、４段設けられており、下方に向かって各陳列棚の奥行寸法が手前側に大きくなるように設定されている。また、上記奥方陳列棚３ａ，３ｂ，３ｃ，３ｄは、底部陳列棚の奥行寸法の２分の１以下の奥行寸法で形成されている。
【００３９】
上記ショーケース１には、ケース本体２の開口部８の上縁部に設けられた第１の照明装置５と、各奥方陳列棚３ａ，３ｂ，３ｃ，３ｄの下縁部に設けられた第２の照明装置６ａ，６ｂ，６ｃ，６ｄとが設けられている。上記第１の照明装置５は、ショーケース１の内部の全域を照光できるように構成されている。一方、上記第２の照明装置６ａ，６ｂ，６ｃ，６ｄは、それぞれの直下の陳列棚を照光するために設けられている。
【００４０】
図１から明らかなように、ショーケース１の前面には大きな開口部８が設けられており、ショーケース１を設置したフロアの天井照明９からの光によって、少なくともショーケース１の奥行方向手前側が照光される。なお、上記天井照明９は、白色光を照射できる照明装置が採用されている。
【００４１】
各奥方陳列棚３ａ，３ｂ，３ｃ，３ｄの下縁部に設けられた各第２の照明装置６ａ，６ｂ，６ｃ，６ｄから発せられる光は、直下の各陳列棚との間の陳列空間の奥方まで照光できるように構成されている。また、奥方陳列棚の前縁部には、各第２の照明装置からの光が手前側に照射されて、購買者の目に入らないように遮蔽部１０がそれぞれ設けられている。一方、上記第２の照明装置６ａ，６ｂ，６ｃ，６ｄは、各奥方陳列棚３ａ，３ｂ，３ｃ，３ｄの前縁部近傍に設けられているため、下方に照射される光の一部が、直下の各陳列棚の前縁部から前方に照射されて、底部陳列棚４を照光している。
【００４２】
すなわち、図１から明らかなように、ショーケース１の各陳列棚３ａ，３ｂ，３ｃ，３ｄ，４には、複数の照明装置６ａ，６ｂ，６ｃ，６ｄ，５，９から照射される光が複合して照射される。このため、照明環境は、ショーケース１の部位によって大きく異なる。
【００４３】
通常、上記ショーケース１は、矩形箱状に形成されている。また、各照明装置６ａ，６ｂ，６ｃ，６ｄ，５は、上記幅方向に対応した長尺状の蛍光灯を備えて構成されるものが多い。また、天井照明９からショーケース１の各陳列棚までの距離が大きいため、天井照明から照射される光は、開口部８からほぼ均一にケース本体２の内部に照射されると考えられる。すなわち、ショーケース１内の照明環境は、奥行方向と上下方向には異なるが、幅方向の所定位置においてはほぼ同一であると考えられる。すなわち、各幅方向位置の断面においては、図１に示す照明環境になると考えられる。
【００４４】
本実施形態は、上述したショーケース１の照明環境に対応して、各陳列棚に陳列された商品により好ましい演色性を発揮できる光を照射するＬＥＤ照明器具１１を備えて上記照明装置を構成したものである。
【００４５】
図２及び図３に示すように、本実施形態に係る照明装置は、従来の蛍光灯と同様の外観形態を備えるＬＥＤ照明器具１１を備えて構成される。本実施形態では、上記ＬＥＤ照明器具１１を、奥方陳列棚の各照明装置６ａ，６ｂ，６ｃ，６ｄに採用している。上記ＬＥＤ照明器具１１は、特性の異なるＬＥＤ発光素子１２ａ，１２ｂ，１２ｃを長手方向に列状に配列した長尺状の基板１３と、この基板１３を収納する長尺円筒状のケース１４と、上記ケース１４の両端部に設けられた接続端子１５と、電源装置１６とを備えて構成されている。
【００４６】
上記ＬＥＤ発光素子１２ａ，１２ｂ，１２ｃは、演色特性が異なる３種類の発光素子１２ａ，１２ｂ，１２ｃを、それぞれ上記基板１３上に長手方向に延びる３列に配列して構成されている。本実施形態では、ショーケース１の奥行方向手前側となる部位に設けられた第１のＬＥＤ発光素子列２２ａと、奥行方向中間部に設けられた第２のＬＥＤ発光素子列２２ｂと、奥行方向奥側に設けられた第３のＬＥＤ発光素子列２２ｃとを備えて構成されている。
【００４７】
本実施形態では、上記第２のＬＥＤ発光素子列２２ｂは、白色光Ｂを発するＬＥＤ発光素子１２ｂを幅方向に所定間隔で配列して構成されている。上記第１のＬＥＤ発光素子列２２ａと、上記第３のＬＥＤ発光素子列２２ｃは、特に各陳列棚に陳列される商品に応じて好適な演色性能を発揮するＬＥＤ発光素子１２ａ，１２ｃが採用される。通常、生鮮食料品に対しては、上記白色光Ｂを発する第２のＬＥＤ発光素子１２ｂに加えて、赤色光Ａを発するＬＥＤ発光素子１２ａと黄色光Ｃを発するＬＥＤ発光素子１２ｃとを採用することができる。本実施形態では、上記演色性の異なるＬＥＤ発光素子１２ａ，１２ｂ，１２ｃを混在させず、各ＬＥＤ発光素子をショーケース１の幅方向に延びる３列の列状に配列してＬＥＤ照明器具１１を構成している。
【００４８】
たとえば、食肉を陳列する場合、赤みを強調することにより鮮度等が良好に見える。このため、赤色光Ａを発するＬＥＤ発光素子１２ａによって第１のＬＥＤ発光素子列２２ａが構成されるとともに、黄色光Ｃを発する第３のＬＥＤ発光素子１２ｃによって第３のＬＥＤ発光素子列２２ｃが構成される。上記第２のＬＥＤ発光素子列２２ｂは、上記第１のＬＥＤ発光素子列２２ａと上記第３のＬＥＤ発光素子列２２ｃからの光の明るさを補い、少なくとも直下の陳列棚の全域に所定の明るさを確保できる白色光Ｂを発することができるように構成される。
【００４９】
図４に、本願発明の上記ＬＥＤ照明器具１１を備えて構成される照明装置６ａ，６ｂ，６ｃ，６ｄの作用を模式的に示す。なお、図４では、理解を容易にするため、各ＬＥＤ発光素子列を各陳列棚の下面に直接設ける構成としているが、図２及び図３に示す円筒形の直管型蛍光灯の形態を有する照明装置が採用される。また、図４においては、奥方陳列棚３ｃの下面に設けられて奥方陳列棚３ｄを照光する照明装置６ｃについて説明するが、他の奥方陳列棚３ａ，３ｂ，３ｃにおいても、同様の作用効果を有している。
【００５０】
図４に示すように、上方の陳列棚３ｃの下面に設けた３列のＬＥＤ発光素子列２２ａ，２２ｂ，２２ｃから、奥行方向の所定範囲にそれぞれ光が照射される。下方の陳列棚３ｄには、上記３列のＬＥＤ発光素子列からの光が、重なり合うように照射される。本実施形態では、上記３列のＬＥＤ発光素子列２２ａ，２２ｂ，２２ｃを奥行方向に所定の隙間を開けて設けているため、各ＬＥＤ発光素子列２２ａ，２２ｂ，２２ｃから照射される光の範囲が異なる。また、各ＬＥＤ発光素子列２２ａ，２２ｂ，２２ｃに演色性の異なるＬＥＤ発光素子を採用しているとともに、各ＬＥＤ発光素子列２２ａ，２２ｂ，２２ｃを構成する発光素子として、発光面が平坦状のＬＥＤ発光素子１２ａ，１２ｂ，１２ｃを採用している。このため、各発光素子１２ａ，１２ｂ，１２ｃから発せられる光は、鉛直下方の部分における照度が高く、鉛直下方から奥行方向前後に向かって照度が低下する。また、各ＬＥＤ発光素子列２２ａ，２２ｂ，２２ｃは、奥行方向に所定間隔を開けて設けられている。さらに、上記第１のＬＥＤ発光素子列２２ａと第２のＬＥＤ発光素子列２２ｂ間に第２のＬＥＤ発光素子列２２ｂからの光が、直下の陳列棚３ｄの下方に照射されないように制御する遮蔽板３０が設けられている。これにより、奥行方向に異なる演色性が発揮される。
【００５１】
第１の実施形態は、奥方陳列棚３ｄの奥行き方向手前側では、上部照明装置５や天井照明９から充分な白色光Ｂが照射されて、明るさは充分に確保できる場合を示している。この場合、上記奥行方向手前側の領域においては、第１のＬＥＤ発光素子列２２ａから発せられる光の影響が、他のＬＥＤ発光素子列２２ｂ，２２ｃから発せられる光よりも大きい。本実施形態では、第１のＬＥＤ発光素子列２２ａに赤色光Ａを発するＬＥＤ発光素子列を採用しているため、陳列棚３ｄの開口部側に陳列される商品に赤色光Ａが多く照射される。このため、購買者の目につきやすい棚の前縁部近傍に陳列した商品に照射される赤色光Ａの演色性が大きくなって、食肉を陳列した場合良好な演色性を発揮させることができる。一方、陳列棚３ｄの奥方には、上部照明装置５や天井照明装置９からの光は照射されないが、第１のＬＥＤ発光素子列２２ａから照射される赤色光Ａに加えて、第２のＬＥＤ発光素子列２２ｂから照射される白色光Ｂ及び第３のＬＥＤ発光素子列２２ｃから照射される黄色光Ｃが照射されるため、充分な明るさや演色性を確保できる。
【００５２】
また、図４に示すように、上記第１のＬＥＤ発光素子列２２ａから発せられる赤色光Ａの一部は、上記陳列棚３ｄの前縁部を越えて、下方の底部陳列棚４に照射される。図１に示すように、他の陳列棚の下部に設けられた照明装置６ａ，６ｂ，６ｄにおける上記第１のＬＥＤ発光素子列２２ａから発せられる光の一部も、底部陳列棚４に向かうように設定されている。このため、底部陳列棚４には赤色光Ａが多量に照射され、底部陳列棚４に陳列した食肉に対する演色性を高めることができる。また、上記底部陳列棚４は、ショーケース上部に設けた照明装置５と、天井照明９からの白色光によって充分な照度が確保されている。これにより、ショーケース１の各陳列棚における照明環境を食肉に適したものとすることができる。
【００５３】
なお、本実施形態では、遮蔽板３０によって第２のＬＥＤ発光素子例２２ｂの光の照射範囲を制御したが、上記遮蔽板３０を設けなくとも所要の効果を期待できる。また、他の制御手段によって照射範囲を制御することもできる。また、制御手法も光の照射範囲に限定されることはなく、光の強度等を、電源装置１６等を介して電気的に制御し、所要の演色性を発揮できるように制御することもできる。
【００５４】
上記各ＬＥＤ発光素子列２２ａ，２２ｂ，２２ｃに採用されるＬＥＤ発光素子１２ａ，１２ｂ，１２ｃは、陳列される商品に応じて選択することができる。この場合、各商品に対して最も大きな演色効果を有するＬＥＤ発光素子からなるＬＥＤ発光素子列を、奥行方向手前側に設置するのが好ましい。
【００５５】
たとえば、商品として鮮魚を陳列する場合、黄色光Ｃを発するＬＥＤ発光素子列を奥行方向手前側に配置するのが好ましい。この場合は、白色光Ｂを発するＬＥＤ発光素子列が奥行方向中間部に配置されるとともに、赤色光Ａを発するＬＥＤ発光素子列が奥行方向奥方に配置される。なお、上述した実施形態の場合、各ＬＥＤ照明器具１１を上下軸周りに１８０度回転させて、黄色光Ｃを発するＬＥＤ発光素子列を奥行方向手前側に配置することもできる。すなわち、本実施形態の場合、一つの直管型の照明装置を、食肉用の照明装置と鮮魚用の照明装置とに兼用することも可能となる。
【００５６】
図５に、本願発明の第２の実施形態を示す。この実施形態は、天井照明９及びショーケース１の上部照明５では、底部陳列棚４の照度を確保できない場合に対応したものである。
【００５７】
図５に示すように、第２の実施形態では、奥行方向手前側に白色光Ｂを照射できるＬＥＤ発光素子１２ｂからなる第１のＬＥＤ発光素子列３２ａを設け、中間部に赤色光Ａを照射できるＬＥＤ発光素子１２ａからなる第２のＬＥＤ発光素子列３２ｂを設け、奥行方向奥方に黄色光Ｃを照射できるＬＥＤ発光素子１２ｃからなる第３のＬＥＤ発光素子列３２ｃを設けている。
【００５８】
第２の実施形態では、第１のＬＥＤ発光素子列３２ａから照射される白色光Ｂを、底部陳列棚に大量に照射することができる。また、第１の実施形態のような遮蔽板は設けられておらず、上記第２のＬＥＤ発光素子列３２ｂから照射される赤色光Ａも、下方の底部陳列棚４に照射される。このため、上部照明装置５や天井照明９では、充分な明るさを確保できない場合にも対応できる。また、底部陳列棚４には、赤色光Ａも充分に照射されるため、食肉に対する演色性を充分に確保することができる。
【００５９】
なお、本実施形態は、食肉が陳列されるショーケースを例に上げて説明したが、陳列される商品は特に限定されることはない。また、実施形態では、直管型のＬＥＤ照明器具を備える照明装置に本願発明を適用したが、他の形態のＬＥＤ照明装置に本願発明を適用できる。さらに、各陳列棚の下面に直接ＬＥＤ発光素子を配列して、陳列棚と一体の照明装置を構成することもできる。
【００６０】
また、本実施形態では、上部照明装置５に白色光Ｂを照射できる照明装置を採用したが、ショーケース１内の照明環境に応じて、赤色光及び／又は黄色光を照射できる照明装置を採用できる。たとえば、鮮魚を陳列する場合には、白色光Ｂに加えて、黄色光Ｃを照射できるＬＥＤ発光素子列を備える上部照明装置を採用することができる。この場合、黄色光Ｃを照射できるＬＥＤ発光素子列を奥行方向奥方に配列して、黄色光が、ショーケースの内方に照射されるように構成するのが好ましい。
【符号の説明】
【００６１】
１  ショーケース
６ａ  照明装置
６ｂ  照明装置
６ｃ  照明装置
６ｄ  照明装置
１２ａ  ＬＥＤ発光素子
１２ｂ  ＬＥＤ発光素子
１２ｃ  ＬＥＤ発光素子
【図１】
2014082093.tif 000003
【図２】
2014082093.tif 000004
【図３】
2014082093.tif 000005
【図４】
2014082093.tif 000006
【図５】
2014082093.tif 000007